(57)【要約】  本発明は、タイムピースムーブメント用脱進機、特にデテント脱進機に関する。脱進機は、回転軸X1,X2,X3を中心にそれぞれ回転する、歯付きガンギ車(1)、テンプ、及びデテント(11,100,110)を備える。デテントは、テンプが振動の自由弧に沿って動く際に、解除状態においてガンギ車の第１の歯(200)をブロックするために、所定の侵入長さに沿って前記歯と相互作用する停止つめ(21)を支持する。テンプによって回転する衝撃つめ(7)は、デテントがガンギ車を解除するために回動するとき、ガンギ車の第２の歯(201)と相互作用し、この歯は、１ピッチだけ前へ移動して第２の歯(201)との相互作用によって停止つめで再度ブロックされる。脱進機はまた、制限プレート(5,51)を有し、それはテンプに同軸に回転可能に固定され、解除状態の際に停止つめに対面するように配置された切り欠き(29)だけでなく、実質的に円形の主要部(52)を備えた外周部を有し、前記制限プレート(5,51)は、主要円形部分と停止つめとが互いに対面する位置にあるときに前者から後者を分離するだけの安全な距離を規定する方法で寸法がとられ、それは侵入長さより短い。【選択図】          図５
2009510425.tif 000002
【特許請求の範囲】
【請求項１】
第１軸(X1)を中心に回転する、歯付きのガンギ車(1)、
第２軸(X2)を中心に回転し、かつそこに衝撃つめ(7)が同軸に固定されて成るテンプ、及び
前記ガンギ車の第１の歯(200)と協働するように設計され、停止状態の際に所定の侵入長さに沿って前記第１の歯をブロックする停止つめ(21)を支持するデテント（11,100,110）を有し、
前記デテントは、解除状態の際に前記第１の歯(200)を自由にすることができるように第３軸(X3)を中心に回転し、
前記衝撃つめ(7)は、前記停止状態の後に、前記ガンギ車の第２の歯(201)から衝撃を受けるために前記第２の歯(201)と協働するように設計され、
前記第１の歯(200)及び前記第２の歯(201)は、前記停止状態の際に、前記第１軸(X1)及び前記第２軸(X2)を通る中心直線(L)の両側に隣接及び配置されて成るタイムピース用デテント脱進機であって、
前記テンプに同軸に及び回転可能に固定され、前記解除状態の際に、前記停止つめを横切るような位置になるように切り欠き(29)が配置されているだけでなく、実質的に円形の主要部(52)を備える外周部を有する制限プレート(5,51)を備え、
前記制限プレート(5,51)は、前記円形の主要部と前記停止つめとが互いに対面する位置にあるときに、前記円形の主要部から前記停止つめを分離するのに安全な距離であって、前記侵入長さより短い距離に規定されるような寸法を有することを特徴とする、タイムピース用デテント脱進機。
【請求項２】
さらに、小型及び大型プレート(50,6)を有し、両者は前記テンプと統合し、前記第２軸(X2)を中心にして配置され、前記小型プレート(6)は、解放つめ(9)を支持し、前記大型プレート(50)は、前記衝撃つめ(7)を支持し、前記デテント(11,100,110)は、その一部(25)が前記解放つめ(9)の通り道に配置されるばね(23)を支持することを特徴とする、請求項１に記載の脱進機。
【請求項３】
前記制限プレート(51)は、前記小型及び大型プレート(50,6)の各直径よりも大きい直径を有することを特徴とする請求項２に記載の脱進機。
【請求項４】
前記テンプと統合し、前記第２軸(X2)を中心にして配置され、解放つめ(9)を支持する小型プレート(6)を有し、前記デテント(11,100,110)は、その一部(25)が前記解放つめ(9)の通り道に配置されるばね(23)を支持し、前記衝撃つめ(7)は、前記制限プレート(5)によって支持されることを特徴とする、請求項１に記載の脱進機。
【請求項５】
前記衝撃つめ(7)は、前記制限プレート(5)の平均半径より小さいか又は等しい距離だけ前記第２軸(X2)から離れて配置された衝撃面を有し、
前記制限プレート(5)の前記外周部は、それに近づき易くするために、前記衝撃面を横切るように配置された凹部(8)を有し、前記切り欠き(29)は、前記衝撃つめ(7)の前記凹部に対して反対側に配置されていることを特徴とする、請求項４に記載の脱進機。
【請求項６】
前記デテント(11,100,110)は、中心領域で前記第３軸(X3)を中心に回動するように装着された主要アーム(14)を備え、その第１端部(17)で前記ばね(23)が固定され、前記停止つめ(21)は、その第２端部(18)に装着され、前記主要アームは、その第２端部で屈曲して延在し、短部(19)によって延在された部分は、前記解放つめの通り道に配置された前記ばね(23)の前記部分(25)のための土手(22)を支持し、
前記短部(19)は、前記小型プレート(6)の外周部に対して実質的に接線方向に延在する指状体(26)を支持し、前記第３軸X3に関して前記小型プレートから前記指状体を分離する角度は、ガンギ車(1)の前記第１の歯(200)における前記停止つめ(21)の前記侵入長さに対応するそれよりも小さく、
前記小型プレート(6)は、前記解放つめが、前記ばね(23)と接触して配置されるとき、前記指状体を横切るように配置された、その外周部に切頭部(28)を有することを特徴とする、請求項２〜５のいずれか一項に記載の脱進機。
【請求項７】
前記切り欠き(29)は、制限プレート(5,51)の外周部における前記主要部(52)のうちの、前記衝撃つめ(7)から離れた位置から曲線形状を有する第１短部を有し、前記第１部より長い傾斜に続き、それが前記主要部に再結合するまで前記衝撃つめの方向に実質的に直線状に延在することを特徴とする、前記請求項のいずれかに記載の脱進機。
【請求項８】
前記ガンギ車(1)における隣接する２つの歯を分離する空間にある前記停止つめ(21)と結合する前記デテント(11,100,110)に力を及ぼすように配置された弾性手段(12,101,111)を備え、前記弾性手段は、前記デテントと一体に形成されていることを特徴とする、前記請求項のいずれかに記載の脱進機。
【請求項９】
前記弾性手段は、その第１端部(112)が前記デテント(110)と統合する、曲がりくねった形状を有し、その第２端部(113)は、前記デテントに関して事前に規定された固定位置を有するばね(111)を備えることを特徴とする、請求項８に記載の脱進機。
【請求項１０】
アンチトリッピングレバー(40)を備え、これは前記第２軸に平行な軸に沿って２つの極限安定位置の間を回動可能であり、前記解放つめ(9)と協働するように配置された、少なくとも１つの接触面を有し、前記アンチトリッピングレバーを一方の極限位置からもう一方の極限位置に回動させることを特徴とする請求項２〜９のいずれか一項に記載の脱進機。
【請求項１１】
前記請求項のいずれかに記載の脱進機、動力源、及び前記動力源と前記脱進機のガンギ車との間の運動学的接続を確保している輪列とを有することを特徴とするタイムピース用ムーブメント。
【請求項１２】
請求項１１に記載のムーブメントを含むタイムピース。
【発明の詳細な説明】
【技術分野】
【０００１】
この発明は、第１軸及び第２軸を中心にしてそれぞれ回転する、歯付きのガンギ車及びテンプを有するタイプの、タイムピース用デテント脱進機に関する。より正確には、本発明による脱進機はまた、停止状態において、それをブロックするために、ある一定の侵入長さによって、ガンギ車の第１の歯と協働するように設計された停止つめを支持するデテントを備えている。さらに、このデテントは、解除状態で、第１の歯を自由にできるように第３の軸を中心にして回動するように装着されている。テンプと一体となっており、その振動に対して同軸で動作する衝撃つめは、ガンギ車の第２の歯と協働するように設計され、前記停止状態の後に前記歯車から衝撃を受ける。
【背景技術】
【０００２】
この種のデテント脱進機は、例えば、1981年3月5日に発行されたEmile Jamesのスイス特許ＣＨ 3299といった先行技術に既に記載されている。
【０００３】
ここには、その端部のうちの１つが回動するレバー形状を有するデテントを備えた脱進機の構造が記載されている。この脱進機は、その軸上に小型プレート及び大型プレートを支持するテンプを備え、その小型プレートは、デテントを回動可能にする解放つめを支持し、一方、大型プレートは、ガンギ車の歯と協働するように配置された、衝撃つめの役割を実現するノッチを支持する。デテントは、テンプの自由振動の期間中にガンギ車をブロックするために、ガンギ車の歯と相互に作用するように設計された停止つめもまた備えている。
【０００４】
デテントを回動可能にするために、前記デテントは、細長いばねを支持し、それはその端部の領域でデテントと一体にされており、それによってデテントは回動し、その自由端は小型プレートにおける解放つめの通り道に設けられている。このように、後者の部分は、テンプの第１の回転方向にばね上で作動することで、デテントを回動させ、脱進機を１ピッチ前へ回転可能にし、一方テンプのもう一方の回転方向では前記ばねの弾性変形によりそれは簡単にばねを横切る。
【０００５】
デテント脱進機について認識される主要な利点のうちの１つは、動作中にガンギ車からテンプへの衝撃がテンプの振動を介して１回与えられるのみであり、アンクル脱進機よりもガンギ車の慣性に関する動力の損失を少なくできることが挙げられる。
【０００６】
しかし、解放つめとデテントばねとの相互作用を介してデテントを解除する動作は、その回動におけるデテントの慣性と同様に、テンプの振動の動きに対して無視できないほどの妨害因子となり、テンプが小さいとなお一層重要である。
【０００７】
デテント脱進機の欠点、特に、ショックに対して特別に敏感である固定されていない機械的接続を実行することと組み合わされたデテント脱進機の欠点が、明らかな技術的利点を有するにもかかわらず、現代の時計でその拡大を制限している。
【０００８】
さらに、1876年7月25日に発行されたF. H. Voigtの米国特許ＵＳ 180,290は、デテント脱進機について記載しており、そこでは第１の歯及び第２の歯は、停止状態で第１の軸及び第２の軸を結ぶ中心直線の両側に隣接及び配置されていることが記載されている。この構造は、有利であり、なぜならテンプの最も近くにあるガンギ車の歯の停止及び衝撃による動作が、解除状態におけるテンプの振動への妨害の影響を小さくするからである。
【０００９】
しかし、この脱進機は、ショックを受けた場合に、ガンギ車が時機を失して停止することのないような、安全対策が含まれておらず、そのことにより携帯時計で実施の可能性の見込みがない。
【００１０】
【特許文献１】ＣＨ 3299
【特許文献２】ＵＳ 180,290
【発明の開示】
【発明が解決しようとする課題】
【００１１】
（本発明の概要）
この発明の主要な目的は、従来技術において知られているメカニズムに関してショックに対する安全性を益々高めるだけでなく、より高い効率の得られる、新しいデテント脱進機構造を提供することである。
【課題を解決するための手段】
【００１２】
この目的を達成するために、この発明は上述したタイプのデテント脱進機に関し、それはまた、制限プレートを備え、それはテンプに同軸に及び回転可能に固定され、切り欠きが解除状態で停止つめに対面して配設されるように形成されているだけでなく、実質的に円形主要部を含む外周部を有する、ということによっても特徴付けられる。さらに、その制限プレートは、停止つめと主要円形部とが互いに対面する位置にあるとき、停止つめを主要円形部から分離するのに安全な距離を規定するような方法で、すなわちガンギ車の第１の歯における停止つめの侵入長さより短くなるように寸法がとられる。
【００１３】
これらの特徴により、デテントの回動動作のうちの振幅は、ショックを受けた場合に、停止つめと制限プレートとの相互作用を通じて直接に制限され、この機能を確実にするための追加の要素を提供する必要もない。このように、本発明による脱進機の効率及び信頼性により、特に解除状態を除いて、ショックが生じた後にガンギ車が解放されないということのために、小さな寸法の時計において十分に実施を可能にする。
【００１４】
本発明による好ましい一実施形態によると、上記の目的は、腕時計のような小さな寸法の時計で脱進機の体積が制限されている場合にも達成される。実際、ある有利な特性によると、デテントの第３軸及び停止つめによって規定される直線は、中心直線に実質的に直交し、それにより脱進機の体積を実質的に減少させることができる。
【００１５】
実施形態における好ましい一変形例によると、脱進機は、テンプと一体に形成されると共にそれと同軸の解放つめを備え、デテントは一端部が解放つめの通り道に配置されるばねを支持する。
【００１６】
さらに、テンプは、付加的な小型及び大型プレートを有し、どちらもテンプと一体となって第２軸を中心にして配置され、この小型プレートは解放つめを支持し、大型プレートは衝撃つめを支持する。
【００１７】
あるいは、衝撃つめが直接に制限プレートによって支持されるようにすることができ、制限プレートは従来の大型プレートとしても動作する。
【００１８】
この場合、衝撃つめは、第２軸から制限プレートの平均径より短いか又は等しい距離だけ離れて配置された衝撃面を有し、制限プレートの外周部はまた衝撃面に接触可能に衝撃面に面して配設された凹部を有することが考えられる。このとき切り欠きは、凹部に関して衝撃つめの反対側に配設され、それは解放つめによってデテントが回動するとき、停止つめが動かなくならないようにすることができる。
【００１９】
本発明による脱進機の別の実施形態によると、それはアンチトリップ（anti-tripping）装置、例えば、テンプの各振動でガンギ車の回転を１ピッチまでに制限可能にする装置をまた有する。
【００２０】
本発明の他の特性及び利点は以下の好適な実施形態についての詳細な説明を読み、限定されない例として提供された添付図面を参照することによりさらに明らかになるだろう。
【００２１】
（本発明の実施形態）
図１は、本発明の第１の好適な実施形態によるデテント脱進機における基本的な構成要素の簡単な斜視図を示している。通常隠される、これらの要素の一部は、一般的な動作原理を明らかにするために見えるようにしている。
【００２２】
このタイムピースの脱進機は、香箱ばねのような、特に機械的動力源を含むタイムピースムーブメント（図示せず。）に統合される。したがって、この脱進機は、輪列を介してガンギ車１によりこの動力源に接続される。ガンギ車１は、従来型であり、特に限定されない例として１５個の歯２を有するように示されている。ガンギ車はその回転軸Ｘ１を定義しているピボット３で時計仕掛けムーブメントに装着されるように設計される。
【００２３】
脱進機はまた、テンプを含み、そのピボット４が取り付けられる場所のみ明らかにされるように図示されている。テンプは、第２軸、すなわち図１に参照されるＸ２に関して回転するように備え付けられる。
【００２４】
図１〜２ｄに関して記載された、本発明の第１の好適な実施形態によると、大型プレート５と小型プレート６とがテンプの真４で同軸に一体化されている。その小型プレートは大型プレートの一部がこの説明の目的で省略されているために、図に見ることができる。
【００２５】
大型プレート５は、衝撃つめ７を保持し、衝撃面を有するその端部は大型プレート５の通常の半径に等しく軸Ｘ２から離れた距離に位置している。このように、衝撃面はこの面に対面する凹部８を形成している、大型プレートの切り欠きによって近づき易くなっている。
【００２６】
小型プレート６は、解放つめ９を保持し、その一端部１０は、小型プレートの外周部に関して突出して配置されている。解放つめの角度位置は、大型プレートにおける衝撃つめの位置に関して事前に規定され、当業者であればこれらの２つのつめの相対的な位置を調整することに対して特別な困難に直面することはない。
【００２７】
さらに、脱進機は、第３軸、すなわち図１に参照されるＸ３に関して回転するように備え付けられたデテント１１を含む。テンプばね１２は、その外部端１３によって時計仕掛けムーブメントに固定され、その内部端（図示せず。）はデテント１１と統合される。
【００２８】
デテント１１は、直線的な主要アーム１４を有し、その中心領域が軸３のピボット１５に取り付けられる。主要アームは第１端部１７で割りピン１６を支持し、その第２端部１８は屈曲して延在し、主要アームの方向に対して実質的に直交した方向に延在する短直線部１９に続いている。
【００２９】
テンプばね１２は、事前に規定された角度方向にピン２０の位置を通して主要アームを戻すようにデテント１１の主要アーム１４に作用し、そのピンは時計仕掛けムーブメントと統合し、デテントの第１端部１７に配置された平面部と協働するように設計されている。その調整可能な配置を可能にするために偏心部分を使用して、そのピンを時計仕掛けムーブメントに既知の方法で留めることもできる。
【００３０】
一方では、デテント１１は、停止つめ２１を支持し、この停止つめは、図１に示されているように、主要アームの第２端部１８の領域に設けられており、ガンギ車の歯２と協働するように設計されている。
【００３１】
他方では、デテントはまた土手２２を支持し、この土手は、直線部１９の自由端で実質的に半円柱形状を有し、換言すると、小型プレート６の近傍にある。
【００３２】
デテントばね２３は、一般に直線形状を有し、割りピン１６の溝に第１端部２４を収納させ、その第２端部２５を土手２２の平面部で終端させるようにデテント１１に配設される。第２端部２５は、従来のばね２３の一般的な方向に関して小さい角度を有することが分かる。
【００３３】
短直線部１９は、短直線部１９の中心部分から小型プレート６の外周面に対して実質的に接線方向に延在し、かつある点で終端する指状体２６を含む。この指状体２６の機能については、ここに記載されている脱進機の作用についての詳細な説明に関連して以下に説明されるだろう。
【００３４】
通常、この脱進機の運動学における主要なステップは、ガンギ車がブロックされ、テンプが振動の自由弧に沿って動いている間の停止状態、ガンギ車がテンプに衝撃を伝達するために解放されている間の解除状態、及びテンプがその自由な振動を再開する間にガンギ車が新しい停止状態を開始しているブロッキングをそれらが含む限りにおいて、従来どおりである。
【００３５】
これらのステップについては、図２ａ〜２ｄについての詳細な説明に関連して以下に記載されている。
【００３６】
図２ａは、図１に示された脱進機の上面図であり、その種々の構成要素の形状及び相対的な位置は図１のそれと同一である。
【００３７】
前述したように、停止つめ２１は、ガンギ車の歯２と協働するように、より正確には図２ａに示されているちょうどその時に歯２００と協働するように配置されている。
【００３８】
ガンギ車１は、ムーブメントの動力源と運動学的に連接するので、それを時計回りに回転させる長期応力を受ける。その歯２００と停止つめ２１との相互作用により、図２ａに例示されているデテントの位置で、そのブロッキングは確実になる。
【００３９】
小型プレート６によって支持される解放つめ９がデテントばね２３の端部２５と接触するようになっているために、示されているちょうどその時に、テンプは、矢印Ｆによって示される方向に振動の自由弧に沿って動く。同時に、大型プレート５によって支持されている衝撃つめ７は、歯２００に隣接する歯２０１の領域に位置するが、衝撃つめの届く範囲外にある。
【００４０】
中心線Ｌが第１軸と第２軸とを通る直線になるように定義されている場合には、歯２００と２０１とは中心線Ｌの両側に位置することに気付くだろう。このように、これらの歯は、テンプを回転する軸Ｘ１に最も近接するガンギ車のうちの２つの歯である。上述したように、この特別な特徴は、テンプの振動においてデテントの慣性に関係する妨害の衝撃を減少させることに貢献する。
【００４１】
さらに、軸Ｘ３と停止つめ２１とを通る直線は、中心線Ｌに実質的に直交していることは、図１に明らかに示されている。
【００４２】
デテントの指状体２６は、小型プレート６の外周部において、その切り欠きにより形成されて成る平面部２８に対面して配置されていることも認められる。同時に、停止つめ２１は、衝撃つめ７の位置に関して、凹部８と反対側にある、大型プレート５の外周（一部破線で描かれている）に設けられた切り欠き２９に対面して配置される。
【００４３】
図２ｂは、図２ａの後の短い時間、すなわち解除状態の終わりの脱進機を示す。
【００４４】
矢印Ｆの方向へのテンプの回転動作が、解放つめ９によって、同じ方向にばね２３の端部２５にかけられた力の出現を引き起こす。デテント１１における土手２２の存在により、ばね２３の形状が失われることが防止され、それが解放つめによってかけられた力をデテント１１に伝達し、デテントは解除状態のときその軸Ｘ３を中心にして回動する。
【００４５】
この状態の最後に、停止つめ２１はガンギ車の歯２００が自由になるようにして、例示されている特定の場合に、大型プレートの切り欠き２９の存在により、停止つめの動作が可能になる。この特徴については、図２ｄについての記載に関連してさらに詳細に説明されるだろう。同様に、デテントの指状体２６は小型プレート６に近くなると、停止つめと同様の動きをし、指状体のこのような動作は小型プレートにおける平面部２８の存在のために可能になる。
【００４６】
テンプがその回転を継続している間、ガンギ車１は回転し始めることはなく、図２ａと２ｂとの間で衝撃つめ７がガンギ車の歯２０１の前を通過するように動き、衝撃状態を準備することが説明されていることが図２ｂに観察される。
【００４７】
図２ｃは、衝撃状態の最初にある前述の図の装置を示す。
【００４８】
停止つめは、歯２００から離れ、ガンギ車１を自由にして、ガンギ車は時計仕掛けムーブメントの動力源による回転動作で矢印Ｆによって示されるのと反対方向に動く。
【００４９】
その間に、解放つめ９は、デテント１１の回動によって、ばね２３を横切り、テンプは新しい振動の自由弧を始める。デテント１１は解放つめによって最初にかけられた力を同時に解除し、ガンギ車１の方向に第２端部を戻す、そのテンプばね１２の戻り力のみを受ける。停止つめ２１がそのとき大型プレート５から離れ、指状体２６が小型プレートから離れる。
【００５０】
テンプとガンギ車１とが同時に動くことにより、歯２０１の通り道における衝撃つめ７の位置が決定され、図２ｃに例示されている瞬間に歯は衝撃つめと接触するようになる。衝撃は、このようにテンプの振動を確実に維持するように、ガンギ車からテンプへ伝達される。
【００５１】
図２ｄに例示されるように、衝撃状態の後、テンプとガンギ車とが同時に回転することにより、衝撃つめ７は、歯２０１の通り道から離れる。衝撃つめと歯２０１との両方は衝撃状態の間に中心線Ｌを横切ることが分かる。
【００５２】
テンプは振動の自由弧に沿って上昇するのを継続し、停止つめ２１は、デテント１１の回転動作のために歯２０１の通り道に位置していることが分かる。ガンギ車１は、その結果として、新しい停止状態としてもう一度ブロックされ、歯２０１はデテントの停止つめと協働して堤防として果たした先の役割において歯２００に取って代わる。同時に、歯２０２は大型プレートの近くで、中心線Ｌに関して歯２０１と反対側に位置し、次の衝撃状態を待っている。
【００５３】
この構成で、停止つめ２１は、大型プレート５の最大半径より軸Ｘ１から離れて配置され、指状体２６は、小型プレート６の最大半径より軸Ｘ１から離れて配置される。
【００５４】
したがって、テンプが弧に沿って上昇するのが終わり、続いて弧に沿って下降するためにその回転の方向を反転するとき、停止つめと指状体とは、それぞれ大型プレート及び小型プレートに届くことはない。
【００５５】
テンプが弧に沿って下降する際、解放つめ９はもう一度デテントばね２３の端部２５に接触し、この方向で、デテントばねはデテントの土手２２から解放つめを解除するように形状を変化させることができ、このようにテンプの動きを最小限の妨害で解放つめを通過させることができる。解放つめをばねが横切ることは、好ましくはつめの端部に丸い部分を形成することにより最適化される。ばね２３は再び土手２２に支えられ、一度その端部２５は解放つめ９に対して自由になる。
【００５６】
テンプはこのとき弧に沿って新たに下降する前に弧に沿って上昇するのを終え、ガンギ車１が時計回りの方向に１ピッチだけ回転するという小さな違があるだけの、図２ａに示されている状態に再度なっている。
【００５７】
第１の好ましい実施形態による脱進機が記載されているのだから、本発明の範囲を逸脱することなく一定の変更が考えられることは認められるはずである。
【００５８】
図１〜２ｄに例示されているように、プレートとガンギ車との間の相対的な距離及び位置は、脱進機の体積を最適化する手段であることに、特に気付くだろう。
【００５９】
より詳細には、停止状態の際に、プレートの外周部が停止つめの堤防としての役割を規定するように、大型プレート５の平均半径が好適に選択されていることを図２ｄは示している。大型プレートから停止つめを分離するのに安全な距離は、ガンギ車の歯における停止つめの侵入長さより、短いのが好ましい。したがって、ショックを受けた場合に、デテントがそれを時計回りに回転させる力を受けたなら、ガンギ車の歯を自由にする前に、停止つめは大型プレートに接触し、大型プレートは制限プレートとして動作するだろう。
【００６０】
安全な距離に関して上述していることに代えて、又は補足として、図１〜２ｄに関連して先に記載されたものとは別のシステム、すなわち指状体２６が小型プレート６の外周部と協働するということが提供される。小型プレートの外周部に対する指状体の距離がガンギ車の歯に対する停止つめの侵入よりも短くなるように、この距離を調整することができるのと同様に、指状体の寸法を調整することができる。
【００６１】
当業者であれば、ショックに対するこれらの保護装置のうちの１つを又は同時に両方を提供することによって、脱進機を自分の要求に合わせることに対して、どんな困難にも直面することはないであろう。同様に、当業者は、大型プレートから停止つめを分離させるのに安全な距離に関して、要求に応じた最善の案を定義することができる。
【００６２】
大型プレート５における、凹部８と切り欠き２９とが、本発明を実行するのに必ず必要と言うわけではないことは、前述のことから勿論理解される。下記により明らかなように、図５の記述に関して、本発明による脱進機と同レベルの効率を達成するために、別の実施形態が可能である。
【００６３】
さらに、本発明は、デテントばねに関連する解放つめを使用することに限定されることもない。例として、既に先行技術として引用された、特許出願ＥＰ１５４４６８９  Ａ１に記載されている構造を代わりに与えることができる。ここに開示されている装置は、停止つめと、小型プレートと協働するデテントの一部とは、デテントの回転軸Ｘ３に関して、デテントと同じ側に配置されるということを考慮に入れて適用される。したがって、デテント上で作動する指状体は小型プレートの近くに当然配置され、ガンギ車の方向に停止つめの戻りを確実にする案内曲線は、テンプの回転軸Ｘ１に対面し、小型プレートから離れて配置されなければならない。
【００６４】
本発明による脱進機の変形例は図３、４ａ及び４ｂに記載されている。
【００６５】
図３は、後者の安全性を増大可能にする上述した装置を補足しているアンチトリップシステムを例示した斜視図である。このシステムを得るのに必須の要素だけが、この図に示されている。
【００６６】
この変形例によるアンチトリップシステムは、レバー４０を備え、このレバーはフォーク４１を含み、時計仕掛けムーブメント上で回動するように装着され、小型プレート６の近くにある。このレバーの回動振幅は、小型プレートから最も遠い位置にある、レバーの端部４３と協働するように設計されている、２つの土手４２によって制限される。レバー４０はまた、ジャンパー４５と協働するように配置された傾斜面４４を備え、土手の位置に対応するレバーの２つの安定した位置を定義する。フォーク４１は、解放つめ９と接触可能に小型プレートに十分近接して配置される。
【００６７】
このように、解放つめがフォークを通過することで、つめはフォークの内部表面に圧力を及ぼし、レバー４０を極限位置からもう一方の極限位置に傾かせる。
【００６８】
スイスアンカーのフォークの作用と同様に、フォーク４１は、その回転軸Ｘ１を中心にして回転するのを超えてテンプが動かないように、トリッピング又はノッキングの際の小型プレートの２つの停止を規定する。
【００６９】
当業者であれば、時計仕掛けムーブメントのプレートに自由に、要求及びその空間に応じて、小型プレートの領域にアンチトリッピングレバーを配置することに対して、いかなる困難にも直面しないであろう
【００７０】
図４ａ及び４ｂは、事前に規定した位置にデテントを戻すことの可能な、ばねの特別な変形例を示し、これらによって先の実施形態に関して前述されていた、テンプばね１２の代替物を提供する。
【００７１】
これらの２つの変形例によると、ばねはデテントと一体に形成されている。その結果として、デテントは図４ａ及び４ｂに単独で示され、脱進機におけるその他の要素は上述されたものと同様である。
【００７２】
図４ａは、デテントの中心領域から、すなわちその回転軸Ｘ３の近くから直線方向に延在する平板ばね１０１を備えているデテント１００の第１の変形例を示す。このような構造が実現されるために、時計仕掛けムーブメントと一体化され、かつ停止状態の際にばねの自由端１０３の回転を防止し、その停止位置にデテントを戻すように設計された、すなわち、ガンギ車１が停止状態の際に配置される位置にデテントを戻すように設計された土手１０２を提供することが必要である。
【００７３】
図４ｂは、曲がりくねった形状を有するばね１１１を備えているデテント１１０の第２の変形例を示す。このばね１１１は、デテント１１０の中心領域で一体化された第１端部１１２を備え、その第２端部１１３は、例えば、その端部１１３に直接に形成され、かつネジ又は戻り力（図示しない。）の調整のできる偏心要素と協働するように設計された穴１１４といった、適切な手段を用いて時計仕掛けムーブメントに固定される。
【００７４】
これらの２つの変形例によるデテントの戻りばねを実現することにより、必要な部分の数を減少させることができ、デテントのアセンブリをこのばねに関連して簡単にもできる。
【００７５】
勿論、上述した２つの変形例は例示としてのみ提供され、当業者であれば、要求に応じて戻りばねの形状を適用することに対していかなる困難にも直面しないであろう。
【００７６】
図５は、本発明のさらなる好ましい実施形態によるデテント脱進機についての、図１と同様の、簡単な斜視図を示す。脱進機の構成要素のうち、他の要素を見えるようにするために取り除かれているものもある。
【００７７】
前述の図において既に記載された要素については、明瞭にするために同じ符号を使用する。
【００７８】
大型プレート５０は、円盤状であり、第１の実施形態における大型プレート５よりも小さい半径を有し、衝撃つめ７を収容するための切り込みを備えている。直径を小さくしたために、大型プレート５０は、制限プレートとして作用することはなく、従来のように、単に衝撃つめを支持するものとしてのみ作用する。
【００７９】
換言すると、制限プレート５１自体が、この実施形態においてこの役割を果たすために提供される。制限プレートは、小型プレート６及び大型プレート５０と同軸に装着され、テンプと統合される。それは、主要な部分５２が円形である外周部を有し、第１の実施形態に関して記載されたものと同様に、切り欠き２９が衝撃つめ７の位置に関して事前に規定された角度位置に配置される。
【００８０】
制限プレート５１の平均半径は、制限プレートの外周が、解除状態を除く、ガンギ車１の歯における停止つめ２１の侵入長さより短く安全な距離に配置されるように選択される。さらに、前述したように、切り欠き２９は、解除状態の際にデテント１１が回動できるように停止つめに対面して配置される。
【００８１】
この動作の面については、図５に示された脱進機は図１に示された脱進機と同様である。それゆえこの点は、詳細に検討されないであろう。
【００８２】
勿論、当業者は、本発明の範囲から逸脱することなく、要求に応じてプレート６，５０，及び５１の相対的な位置を変更することができる。さらに、前述した変形例はすべて、この追加した実施形態にも適用可能である。
【００８３】
前の記述は、特に限定のない実例として特定の実施形態について記載しており、本発明は、例えば、デテント又は種々のばねにおける特定の形状、又は解除の実行可能な手段に限定されない。
【図面の簡単な説明】
【００８４】
【図１】図１は、この発明の第１の好ましい実施形態によるデテント脱進機の簡略化した斜視図を示しており、その構成要素の一部は別の部分が見えるようにするために除かれている。
【図２ａ】図２ａは、図１に示されたデテント脱進機の上面図を示し、その動作の第１の状態にある。
【図２ｂ】図２ｂは、図２ａと同様の図を示し、その動作の第２の状態にある。
【図２ｃ】図２ｃは、図２ａと同様の図を示し、その動作の第３の状態にある。
【図２ｄ】図２ｄは、図２ａと同様の図を示し、その動作の第４の状態にある。
【図３】図３は、別の実施形態による脱進機の詳細を簡略化した斜視図で示している。
【図４】図４ａ及び４ｂは、それぞれ第１及び第２の好ましい実施形態による、第２の脱進機の構造の詳細についての簡略化した上面図である。
【図５】図５は、本発明の別の好ましい実施形態によるデテント脱進機の簡略化した斜視図を示しており、その構成要素の一部は別の部分が見えるようにするために除かれている。
【図１】
2009510425.tif 000003
【図２ａ】
2009510425.tif 000004
【図２ｂ】
2009510425.tif 000005
【図２ｃ】
2009510425.tif 000006
【図２ｄ】
2009510425.tif 000007
【図３】
2009510425.tif 000008
【図４】
2009510425.tif 000009
【図５】
2009510425.tif 000010
【国際調査報告】
2009510425.tif 000011
2009510425.tif 000012
2009510425.tif 000013
2009510425.tif 000014